(57)【要約】【課題】  容易に且つ正確に着用できると共に、着用時の不快感や、弾性部材の痕跡が残ることを防止した衛生キャップを提案する。【解決手段】  作業者の頭部を覆うように袋状に構成した帽体の開口縁のおよそ上半分に、伸縮性素材からなる幅広で無端リング状の帯体の縁部を縫着し、前記帯体の残りは自由部分とすると共に、前記帽体の開口縁のおよそ下半分は弾性縫着部とするという手段を採用した。また、上記帯体の自由部分は、着用時には引き伸ばしてあご又は前首部に弾性的に掛かる長さとするという手段を採用した。【選択図】  図１
2006249631.tif 000002
【特許請求の範囲】
【請求項１】
作業者の頭部を覆うように袋状に構成した帽体の開口縁のおよそ上半分に、伸縮性素材からなる幅広で無端リング状の帯体の縁部を縫着し、前記帯体の残りは自由部分とすると共に、前記帽体の開口縁のおよそ下半分は弾性縫着部としたことを特徴とする衛生キャップ。
【請求項２】
上記帯体の自由部分は、着用時には引き伸ばしてあご又は前首部に弾性的に掛かる長さである請求項１記載の衛生キャップ。
【発明の詳細な説明】
【技術分野】
【０００１】
この発明は、食品関係や電子部品等の製造又は包装等に従事する作業者が、毛髪やフケ等の脱落を効果的に防止するために利用する衛生キャップの改良に関するものである。
【背景技術】
【０００２】
従来から、食品工場や製薬工場、半導体等の電子部品の製造工場においては、作業者が落とす毛髪やフケ、あるいは塵などは、衛生上又は品質管理上の弊害が大きいため、作業者の頭を完全に覆う形態の衛生キャップが広く利用されている。その一般的な構成は、例えば特許文献１に示すように、前頭部、後頭部、及び両耳を含む側頭部のすべてを覆うように袋状に構成した帽体の開口縁の全周に亘ってゴム紐などの弾性部材を縫合すると共に、両側部にかけ紐を取り付け、あごの下で面ファスナーなどにより固定するようにしたものである。
【０００３】
この種の衛生キャップは、その袋状の帽体部分を、不織布に恒久的に電気分極を保持させるとともに予めエンボス加工を施すなどした所謂電石シートによって構成して、毛髪やフケ、塵などを確実に吸着するようにし、さらに外音が遮蔽されるのを防止するため、両耳位置に相当する部分のみをトリコット地で構成するようにしたものが多用されている。
【０００４】
【特許文献１】意匠登録第９５９２８２号公報
【発明の開示】
【発明が解決しようとする課題】
【０００５】
しかしながら、上述した構成の従来の衛生キャップは、帽体の開口縁の全周に亘って幅細ゴム紐などの弾性部材が縫合されているので、長時間着用した場合、当該弾性部材の締め付けを不快に感じることがある他、額や顔側面に当該弾性部材の痕跡が残り、衛生キャップを外した後も、その痕跡が容易にとれないという不都合が報告されている。
【０００６】
また、衛生キャップを正確に使用するためには、着用後、帽体からはみ出ることのある生え際の髪の毛を帽体に押し込んだうえ、あご部分のかけ紐を確実に止めてキャップが脱落しないようにする必要があるが、作業者によっては、面倒がって、髪の毛がはみ出たままであったり、かけ紐を止めない者もあり、その管理を徹底できないのが現状である。これは、上述した着用時の不快感等も要因の一つである。
【０００７】
そこで、本願では、この種衛生キャップにおいて、容易に且つ正確に着用できると共に、着用時の不快感や、弾性部材の痕跡が残ることを防止した衛生キャップを提案するものである。
【課題を解決するための手段】
【０００８】
上述した課題を解決するため、本発明は、作業者の頭部を覆うように袋状に構成した帽体の開口縁のおよそ上半分に、伸縮性素材からなる幅広で無端リング状の帯体の縁部を縫着し、前記帯体の残りは自由部分とすると共に、前記帽体の開口縁のおよそ下半分は弾性縫着部とするという手段を採用した。
【０００９】
また、上記帯体の自由部分は、着用時には引き伸ばしてあご又は前首部に弾性的に掛かる長さとするという手段を採用した。
【発明の効果】
【００１０】
上記構成の衛生キャップは、額や側頭部に接する部分が幅広の帯体であるので、帯体全面で接触し、従来のゴム紐のように、締め付けによる紐の痕跡が残るといった不都合が確実に回避されると共に、顔全体に締め付け感がなく、使用感が非常に良好である。また、簡単な操作で確実に着用できて、髪の毛のはみ出しが少ない。
【００１１】
さらに、帯体の自由部分を着用時に引き伸ばしてあご又は前首部に弾性的に掛かる長さとしたので、着用時にこの自由部分を袋内に折り込んで着用することは却って煩わしく、あご又は前首部に必然的又は強制的に掛けるようになり、面倒がってかけ紐を止めないといった従来の管理上の問題点も回避することができるようになった。
【発明を実施するための最良の形態】
【００１２】
以下、本発明に係る衛生キャップの好ましい実施形態を図面について説明する。図１は衛生キャップの一例を示し、（Ａ）はその正面図、（Ｂ）は右側面図である。また、図２は衛生キャップを着用した作業者の左顔の側面図である。
【００１３】
図において、１は作業者の頭部全体を覆うように袋状に構成した帽体である。この帽体１は、例えば、頭頂部用部材１ａ、右側頭部用部材１ｂ、左側頭部用部材１ｃの各部材で構成され、袋状となるように立体的に縫製されている。ただし、この構成に限定するものではなく、頭部全体を覆うように袋状に構成されていればよい。また、その素材についても特に限定するものではないが、例えば毛髪や塵等の吸着性に優れた所謂電石シートなどを採用することが好ましい。また、頭頂部用部材１ａは、通気性を確保する観点からメッシュ地が採用されることもある。
【００１４】
２は、幅広で無端リング状の帯体であって、伸縮性素材で構成されており、上記帽体１の開口縁３のうち、およそ上半分の縁部に、縫着部４を介してこの帯体２の縁部を縫着している。この帯体２は、例えば不織布とゴム材等の伸縮性素材を組み合わせて構成したもので、特にリングの周方向の伸縮性に富む素材を採用する。なお、帯体２のうち、帽体１と縫着しない部分２ａ（本明細書では、これを「自由部分」という。）は、後述するようにあご又は前首部に掛かることになるので、その長さは、着用時に引き伸ばして作業者のあご又は前首部に弾性的に掛かる長さにすることが好ましい。この自由部分２ａの長さを必要以上に長くすると、却ってじゃまになるため、着用時に帽体内に折り込んで着用する作業者が現れて管理上問題となるからである。即ち、自由部分２ａの長さは、着用時に引き伸ばして作業者のあご又は前首部に弾性的に掛かる長さにすることで、着用時にこの自由部分２ａを袋内に折り込んで着用することが却って煩わしく、あご又は前首部に必然的又は強制的に掛けるようになるのである。一方、帽体１の開口縁３のうち、およそ下半分の縁部には、ゴム紐等の弾性部材を縫着して弾性縫着部５としている。さらに、左右側頭部用部材の両耳位置に相当する部分には、例えばトリコット地等からなる耳部６、６を形成して、周囲の音が遮蔽されないようにしている。
【００１５】
続いて、上記構成の衛生キャップの使用方法について説明する。この衛生キャップは、図２に示すように、上記帯体２の自由部分２ａと帽体１の弾性縫着部５との間隙から頭を挿入するようにして着用する。そして、帯体２の上縁部分を額部分に位置させ、帯体２の自由部分２ａはあご又は前首部に掛かるようにする。こうすることによって、額の前髪を完全に覆うことが可能であると共に、左右の鬢毛も充分に覆うことができる。また、帽体１の下半分の縁部には弾性縫着部５があるので、首筋の後ろ髪も容易に覆うことができる。従って、従来のように、額や側頭部からはみ出た髪を、後から帽体１内にしまう手間が省略でき、簡単な操作で正確に着用できるものである。
【００１６】
また、額や側頭部に接する部分は幅広の帯体２であるので、顔全体に締め付け感がなく、柔らかく肌になじんで非常に使用感がよい。併せて、帯体２の全面で接触するので、従来のゴム紐のように、額や側頭部に紐の痕跡がいつまでも残るといった不都合が確実に回避される。
【００１７】
さらに、帯体２は無端リング状で、自由部分２ａが引き伸ばしてあご又は前首部に弾性的に掛かる長さであるので、その下端は着用時にこの自由部分を袋内に折り込んで着用することが却って煩わしく、あご又は前首部に必然的又は強制的に掛けるようになり、従来、面倒がってかけ紐を止めないといった管理上の問題点も回避できるようになった。
【図面の簡単な説明】
【００１８】
【図１】本発明に係る衛生キャップの実施形態を示し、（Ａ）は正面図、（Ｂ）は右側面図である。
【図２】本発明の衛生キャップを着用した作業者の左顔の側面図である。
【符号の説明】
【００１９】
１    帽体
２    帯体
３    開口縁
４    縫着部
５    弾性縫着部
６    耳部
【図１】
2006249631.tif 000003
【図２】
2006249631.tif 000004